(57)【特許請求の範囲】
【請求項１】
係止突片（６）を有する第１シート材（７）と、前記係止突片（６）が挿入可能な係止スリット（８）を有する第２シート材（９）との係止構造であって、
前記係止突片（６）は前記第１シート材（７）の一側縁（７ａ）に形成されており、
前記係止スリット（８）はサインカーブ状の波形形状であり、
前記係止スリット（８）は複数の波を有しており、
前記係止スリット（８）の一方の側縁（８ａ）の波形の波の頂点（１２）を通る第１仮想接線（１３）と、前記係止スリット（８）の他方の側縁（８ｂ）の波形の波の頂点（１４）を通る第２仮想接線（１５）との間の距離（ｄ）が、前記係止突片（６）の厚さ以下である、シート材の係止構造。
【請求項２】
前記第１仮想接線（１３）と第２仮想接線（１５）との間の距離（ｄ）が、前記係止突片（６）の厚さより０．１ｍｍから１．０ｍｍ小さい、請求項１に記載のシート材の係止構造。
【請求項３】
前記係止スリット（８）は複数の波を有する、請求項１又は請求項２に記載のシート材の係止構造。
【請求項４】
前記係止スリット（８）の波形の波のＲが２０ｍｍから４０ｍｍである、請求項１〜請求項３のいずれか１項に記載のシート材の係止構造。
【請求項５】
前記係止突片（６）の表面の少なくとも一部に滑り止め剤が塗布されている、請求項１〜請求項４のいずれか１項に記載のシート材の係止構造。
【請求項６】
請求項１〜請求項５のいずれか１項に記載のシート材の係止構造を有する包装体（２）であって、
前記第１シート材（７）と第２シート材（９）とは一体のシート材としてつながっており、
前記一体のシート材の折り曲げ加工により前記係止突片（６）が前記係止スリット（８）に挿入される、包装体（２）。
【発明の詳細な説明】
【技術分野】
【０００１】
本発明はシート材の係止構造及び当該係止構造を有する包装体に関する。
【背景技術】
【０００２】
従来、種々の物品を包装するために段ボールや板紙などのシート材を折り曲げ加工して作製された包装体が多用されている。例えば、空調機の室外機などの機器の中には、スペース節約のために保管時に上下方向に複数の機器を重ねて保管することが行われているが、このとき、上の機器によって下の機器が傷ついたり、変形したりすることがないように、上下の機器の間には、例えば図４に示されるような緩衝材５０が配設される。図４に例示されている機器は、空調機の室外機５１であり、この室外機５１の上に前記緩衝材５０を挟んで他の室外機（図示せず）が積み重ねて保管される（いわゆる、「段積み」である。）。
【０００３】
緩衝材５０は、例えば図５に示されるような木枠５２を骨格とし、この木枠５２に段ボール製の包装体である天トレイ５３が包装されたものである。木枠５２は、縦材５２ａと横材５２ｂとで構成されており、離間して平行に配置された一対の縦材５２ａの下面に複数の横材５２ｂが所定間隔で離間して固定されている。図５に示される例では、３本の横材５２が用いられている。    
【０００４】
天トレイ５３は、段ボール製のシート材を折り曲げ加工することで作製されており、例えば図６に示される展開図を有するシート材５４を用いて作製される。天トレイ５３は、一対のシート材５４を用いてフレーム状ないしは矩形状に作製される。一方のシート材５４は、耳部５５に塗布される接着剤によって他方のシート材５４に固着される。
【０００５】
各シート材５４は、係止突片５６を有する第１シート材５７と、前記係止突片５６が挿入可能な係止スリット５８を有する第２シート材５９とを備えており、この第１シート材５７と第２シート材５９とは、他のシート材６０を介してつながっている。第１シート材５７及び第２シート材５９は、木枠５２の短辺側に配設される。また、シート材５４は、木枠５２の長辺側に配設される第３シート材６１を有している。この第３シート材６１は、前記第２シート材５９とつながっている。各シート材５４は、第１シート材５７、第２シート材５９、シート材６０及び第３シート材６１により構成されている。
【０００６】
木枠５２と天トレイ５３との組み付けは、図７に示されるように、一対のシート材５４をフレーム状に組み立てた天トレイ５３内に木枠５２を配置する。このとき、天トレイ５３を構成するシート材５４は、図６においてａで示される箇所を谷折り、すなわち天トレイ５３の内側に向けて折り曲げた状態である。天トレイ５３は、使用時には上になる部分が下になるように天地逆に配置される。また、木枠５２も、使用時には上になる部分が下になるように天地逆に配置される。図７に示される例では、使用時には、縦材５２ａが上になるので、天トレイ５３との組み付け時には、当該縦材５２ａが下になるように配置される。
【０００７】
天トレイ５３内に木枠５２を配置した後、横材５２ｂの下に位置する第１シート材５７を、シート材６０を折り曲げ加工することで当該横材５２ｂの上方に位置するように変形させる。すなわち、シート材６０及び第１シート材５７で横材５２ｂを巻き込むようにシート材６０を折り曲げ加工する。ついで、第１シート材５７の側縁５７ａに形成されている係止突片５６を第２シート材５９に形成されている係止スリット５８内に挿入して、当該係止突片５６を係止スリット５８に係止させる。こうして、組み付けた緩衝材５０を、上下逆にして室外機５１の上面ないし天面に被せることで、当該緩衝材５０の配置が完了する。
【発明の概要】
【発明が解決しようとする課題】
【０００８】
前述した天トレイ５３では、直線状の係止スリット５８が採用されているが、かかる係止スリット５８の場合、係止突片５６を挿入するに際し、直線的な摩擦部が多いため、挿し込みの作業性が悪いという問題がある。また、寸法公差によって、一旦挿入された係止突片５６が抜け易いことがあるという問題もある。さらに、係止スリット５８は細いため、当該係止スリット５８を加工する際の抜きカスが残り易く、当該抜きカスを取り除く作業が必要になるという問題がある。
【０００９】
また、前記のような直線的な摩擦を利用した係止構造に代えて、図８の（ａ）に示されるように、係止突片６２の両側のカエリ部６３を係止スリット６４の両端に引っ掛けて固定することが考えられる。しかし、この場合、作業時などにおいてカエリ部６３が折れ曲がってしまうと、係止スリット６４の端縁６４ａに係止することができないので、係止構造としての機能を果たすことができない。
さらに、図８の（ｂ）に示されるように、長円形状の係止突片６５を同じく長円形状の係止スリット６６内に挿入し、当該係止突片６５を折り曲げて係止スリット６６の縁に固定することが考えられる。しかし、この場合、外側への出代、すなわち緩衝材から外方へ突出する部分が大きくなり、物流荷役時にかかる突出部が引っ掛かる、という問題がある。また、材料である段ボールの展開面積が大きくなるため、コストアップの要因となる。
【００１０】
本発明は、このような事情に鑑みてなされたものであり、組立時の作業性に優れており、また、安定して係止させることができるシート材の係止構造及び当該係止構造を有する包装体を提供することを目的としている。
【課題を解決するための手段】
【００１１】
本発明の第１の観点に係るシート材の係止構造（以下、単に「係止構造」ともいう）は、
（１）係止突片を有する第１シート材と、前記係止突片が挿入可能な係止スリットを有する第２シート材との係止構造であって、
前記係止突片は前記第１シート材の一側縁に形成されており、
前記係止スリットは波形形状であり、
前記係止スリットの一方の側縁の波形の波の頂点を通る第１仮想接線と、前記係止スリットの他方の側縁の波形の波の頂点を通る第２仮想接線との間の距離が、前記係止突片の厚さ以下である。
【００１２】
本発明の第１の観点に係る係止構造では、係止突片が係止される係止スリットが波形形状であり、この係止スリットの一方の側縁の波形の波の頂点を通る第１仮想接線と、前記係止スリットの他方の側縁の波形の波の頂点を通る第２仮想接線との間の距離が、前記係止突片の厚さ以下である。このため、係止突片は、波形の波の頂点との摩擦を利用して係止スリットに固定することができ、また、係止突片の厚さよりも幅広のスリット内に当該係止突片を挿入すればよいので、挿入作業が容易であり、作業性を向上させることができる。また、従来形状の係止突片を用いることができ、段ボールなどのシート材の展開面積を大きくする必要もない。さらに、波形の波の頂点との摩擦を利用した係止構造であるので、従来の細長の直線状スリットに比べてスリットの幅を大きくすることができ、その結果、係止スリットの抜きカスが取り易くなる。シート材に抜きカスが残ることが少なくなるので、抜きカスが残っていないかを確認する作業の工数を削減することができる。
【００１３】
（２）前記（１）の係止構造において、前記第１仮想接線と第２仮想接線との間の距離が、前記係止突片の厚さより０．１ｍｍから１．０ｍｍ小さいことが望ましい。この場合、係止突片を係止スリットに挿入する作業の容易性を確保しつつ、波形の波の頂点と係止突片との間に十分な摩擦を得ることができ、当該係止突片を係止スリットにしっかりと固定することができる。
【００１４】
（３）前記（１）又は（２）の係止構造において、前記係止スリットは複数の波を有することが望ましい。この場合、より多くの箇所（波形の波の頂点）で係止突片を係止スリットに固定することができ、しっかりとした固定を行うことができる。
【００１５】
（４）前記（１）から（３）の係止構造において、前記係止スリットの波形の波のＲを２０ｍｍから４０ｍｍとすることができる。この場合、係止突片の係止スリット内への挿入作業の容易性を確保しつつ、波形の波の頂点と係止突片との間に十分な摩擦を得ることができ、当該係止突片を係止スリットにしっかりと固定することができる。
【００１６】
（５）前記（１）〜（４）の係止構造において、前記係止突片の表面の少なくとも一部に滑り止め剤が塗布されていることが望ましい。この場合、波形の波の頂点と係止突片との間の摩擦力を大きくすることができ、当該係止突片を、よりしっかりと係止スリットに固定することができる。
【００１７】
本発明の第２の観点に係る包装体は、
（６）前記（１）から（５）のいずれかの係止構造を有する包装体であって、
前記第１シート材と第２シート材とは一体のシート材としてつながっており、
前記一体のシート材の折り曲げ加工により前記係止突片が前記係止スリットに挿入される。
【００１８】
本発明の第２の観点に係る包装体では、前述した係止構造を採用しているので、係止突片の係止スリット内への挿入作業が容易であり、作業性を向上させることができる。また、従来形状の係止突片を用いることができ、段ボールなどのシート材の展開面積を大きくする必要もない。さらに、波形の波の頂点との摩擦を利用した係止構造であるので、従来の細長の直線状スリットに比べてスリットの幅を大きくすることができ、その結果、係止スリットの抜きカスが取り易くなる。シート材に抜きカスが残ることが少なくなるので、抜きカスが残っていないかを確認する作業の工数を削減することができる。
【発明の効果】
【００１９】
本発明のシート材の係止構造及び当該係止構造を有する包装体によれば、組立時の作業性に優れており、また、安定して係止させることができる。
【図面の簡単な説明】
【００２０】
【図１】本発明の一実施形態に係る包装体を構成するシート材の展開図である。
【図２】本発明の一実施形態に係る包装体の組立図である。
【図３】図１に示されるシート材の要部拡大説明図である。
【図４】室外機と従来の包装体を示す斜視説明図である。
【図５】木枠の一例を示す説明図である。
【図６】従来のシート材の一例の展開図である。
【図７】包装体を木枠に組み付ける要領を示す斜視説明図である。
【図８】従来のシート材の係止構造の説明図である。
【発明を実施するための形態】
【００２１】
以下、添付図面を参照しつつ、本発明の係止構造及び当該係止構造を有する包装体の実施形態を詳細に説明する。なお、本発明はこれらの例示に限定されるものではなく、特許請求の範囲によって示され、特許請求の範囲と均等の意味及び範囲内でのすべての変更が含まれることが意図される。
【００２２】
図１は、本発明の一実施形態に係る包装体である天トレイを構成するシート材１の展開図であり、図２は、本発明の一実施形態に係る包装体である天トレイ２の組立図である。
木枠３に天トレイ２を被せることで緩衝材４を作製することができる。木枠３は、従来技術として説明した図５に示されるものと同じ構成であり、縦材３ａと横材３ｂとで構成されている。離間して平行に配置された一対の縦材３ａの上面に複数（本実施形態では、３本）の横材５２ｂが所定間隔で離間して固定されている。  
【００２３】
天トレイ２は、段ボール製のシート材を折り曲げ加工することで作製されており、図１に示される展開図を有するシート材１を用いて作製される。天トレイ２は、一対のシート材１を用いてフレーム状ないしは矩形状に作製される。一方のシート材１は、耳部５に塗布される接着剤によって他方のシート材１に固着される。
【００２４】
各シート材１は、係止スリットの形状が直線状ではなく波形形状である点以外は、図６に示されるシート材５４と同じ構成である。
すなわち、各シート材１は、細長い矩形状の係止突片６を有する第１シート材７と、前記係止突片６が挿入可能な係止スリット８を有する第２シート材９とを備えており、この第１シート材７と第２シート材９とは、他のシート材１０を介してつながっている。第１シート材７及び第２シート材９は、木枠３の短辺側に配設される。また、シート材１は、木枠３の長辺側に配設される第３シート材１１を有している。この第３シート材１１は、前記第２シート材９とつながっている。各シート材１は、第１シート材７、第２シート材９、シート材１０及び第３シート材１１により構成されている。
【００２５】
木枠３と天トレイ２との組み付けは、図７を用いて説明した従来の方法と同様である。すなわち、一対のシート材１をフレーム状に組み立てた天トレイ２内に木枠３を配置する。このとき、天トレイ２を構成するシート材１は、図１においてｂで示される箇所を谷折り、すなわち天トレイ２の内側に向けて折り曲げた状態である。天トレイ２は、使用時には上になる部分が下になるように天地逆に配置される。また、木枠３も、使用時には上になる部分が下になるように天地逆に配置される。
【００２６】
天トレイ２内に木枠３を配置した後、横材３ｂの下に位置する第１シート材７を、シート材１０を折り曲げ加工することで当該横材３ｂの上方に位置するように変形させる。すなわち、シート材１０及び第１シート材７で横材３ｂを巻き込むようにシート材１０を折り曲げ加工する。ついで、第１シート材７の側縁７ａに形成されている係止突片６を第２シート材９に形成されている係止スリット８内に挿入して、当該係止突片６を係止スリット８に係止させる。こうして、組み付けた緩衝材４を、上下逆にして室外機の上面ないし天面に被せることで、当該緩衝材４の配置が完了する。
【００２７】
本実施形態では、係止スリット８として、図３の（ａ）に示されるような波形形状のスリットを採用している。そして、当該係止スリット８において、図３の（ｂ）に拡大して示されるように、係止スリット８の一方の側縁８ａの波形の波の頂点１２を通る第１仮想接線１３と、前記係止スリット８の他方の側縁８ｂの波形の波の頂点１４を通る第２仮想接線１５との間の距離ｄが、前記係止突片６の厚さ以下、本実施形態では、シート材１を構成する段ボールの厚さ以下になるように設定されている。
【００２８】
このため、係止突片６は、波形の波の頂点１２，１４との摩擦を利用して係止スリット８に固定することができ、また、係止突片６の厚さよりも幅広のスリット内に当該係止突片６を挿入すればよいので、挿入作業が容易であり、作業性を向上させることができる。また、従来形状の係止突片を用いることができ、段ボールなどのシート材の展開面積を大きくする必要もない。さらに、波形の波の頂点１２，１４との摩擦を利用した係止構造であるので、従来の細長の直線状スリットに比べてスリットの幅を大きくすることができ、その結果、係止スリット８の抜きカスが取り易くなる。シート材１に抜きカスが残ることが少なくなるので、抜きカスが残っていないかを確認する作業の工数を削減することができる。
【００２９】
係止突片６の厚さと前記距離ｄとの関係は、前述したように、距離ｄが係止突片６の厚さ以下になるように設定されるが、距離ｄは、当該厚さよりもわずかに小さい、具体的には、０．１ｍｍから１．０ｍｍ小さいことが望ましい。このように、距離ｄを厚さよりも０．１ｍｍから１．０ｍｍ小さくすることで、係止突片６を係止スリット８に挿入する作業の容易性を確保しつつ、波形の波の頂点１２、１４と係止突片６との間に十分な摩擦を得ることができ、当該係止突片６を係止スリット８にしっかりと固定することができる。
【００３０】
本実施形態における係止スリット８の波形は、サインカーブ状であり、当該波形の波のＲは２０ｍｍから４０ｍｍである。このようなＲをもたせることで、係止突片６の係止スリット８内への挿入作業の容易性を確保しつつ、波形の波の頂点１２、１４と係止突片６との間に十分な摩擦を得ることができ、当該係止突片６を係止スリット８にしっかりと固定することができる。
【００３１】
また、本実施形態では、係止突片６の表面に滑り止め剤としてのワニス（ニス）を塗布している。かかるワニスを塗布することで、波形の波の頂点１２、１４と係止突片６との間の摩擦力を大きくすることができ、当該係止突片６を、よりしっかりと係止スリット８に固定することができる。ワニスは、係止突片６の全面に塗布してもよいし、部分的に塗布してもよい。
【００３２】
〔その他の変形例〕
本発明は前述した実施形態に限定されるものではなく、特許請求の範囲内において種々の変更が可能である。
例えば、前述した実施形態では、係止スリットの側縁にほぼ２つの波形を形成しているが、一つの波形を形成してもよい。また、３つ以上の波形を形成してもよい。複数の波形を形成する場合、一つの場合に比べ、より多くの箇所（波形の波の頂点）で係止突片を係止スリットに固定することができ、しっかりとした固定を行うことができる。
【００３３】
また、前述した実施形態では、シート材として段ボールを用いているが、ある程度の柔軟性を有する限り、板紙など他のシート材を用いることができる。
【００３４】
また、前述した実施形態では、室外機を段積みする際の緩衝材における包装体に本発明を適用しているが、本発明の係止構造は、シート材を用いた包装容器、包装箱など、他の包装体にも適用することができる。
【００３５】
また、前述した実施形態では、包装体の一辺（短辺）に２つの係止構造が用いられているが、係止構造の数は、１つであってもよいし、また、３つ以上であってもよい。
【符号の説明】
【００３６】
１  ：シート材
２  ：天トレイ（包装体）
３  ：木枠
３ａ：縦材
３ｂ：横材
４  ：緩衝材
５  ：耳部
６  ：係止突片
７  ：第１シート材
７ａ：側縁
８  ：係止スリット
８ａ：側縁
８ｂ：側縁
９  ：第２シート材
１０  ：シート材
１１  ：第３シート材
１２  ：頂点
１３  ：第１仮想接線
１４  ：頂点
１５  ：第２仮想接線
５０  ：緩衝材
５１  ：室外機
５２  ：木枠
５２ａ：縦材
５２ｂ：横材
５３  ：天トレイ
５４  ：シート材
５５  ：耳部
５６  ：係止突片
５７  ：第１シート材
５７ａ：側縁
５８  ：係止スリット
５９  ：第２シート材
６０  ：シート材
６１  ：第３シート材
６２  ：係止突片
６３  ：カエリ
６４  ：係止スリット
６５  ：係止突片
６６  ：係止スリット
【図１】
0006631275.tif 000002
【図２】
0006631275.tif 000003
【図３】
0006631275.tif 000004
【図４】
0006631275.tif 000005
【図５】
0006631275.tif 000006
【図６】
0006631275.tif 000007
【図７】
0006631275.tif 000008
【図８】
0006631275.tif 000009